(57)【要約】【課題】ボルトへのナット装着により吊下げ対象物を支持して仮止めすることができ、しかも取外しができる補助装置を提供する。【解決手段】ボルト３６と第１ナット３７との段差部に支持される吊下げ部２と、吊下げ部２の下部に設けられる一対のもので、揺動用ヒンジ１１、２１を介して取付けられ、揺動により互いが最接近する状態となる接近部１２ｄ、２２ｄを上下方向の途中位置にそれぞれ有し、金具を上昇させることにより両接近部１２ｄ、２２ｄの間隔が広くなり、金具が両接近部の上方に通過すると両接近部１２ｄ、２２ｄの間隔が自重で狭くなる一対の揺動部材１０、２０と、両揺動部材１０、２０のそれぞれに設けられ、前記金具の被係止部に係止する係止部１２ｅ、２２ｅとを具備する。【選択図】図１
2009281576.tif 000002
【特許請求の範囲】
【請求項１】
吊下げ対象物に、貫通孔及び被係止部を有する取付用金具を予め取付けるとともに、天井から垂下させたボルトに補助装置吊下げ用の第１ナットを螺着しておき、前記金具を支持する状態で前記ボルトに固定用の第２ナットを螺着して前記金具を前記ボルトに仮止めする際に前記第１ナットに吊下げられ、仮止め後に取外される補助装置であって、
前記ボルトを挿通させる横向き凹部を有し、前記ボルトと前記第１ナットとの段差部にて下側から支持される吊下げ部と、
前記吊下げ部の下部であって前記ボルトを挟む２位置にそれぞれ設けられる一対のもので、前記吊下げ部に上端が、下側を前記ボルトに対して接離させ得る状態で揺動用ヒンジを介して取付けられ、揺動により互いが最接近する状態となる接近部を上下方向の途中位置にそれぞれ有し、前記貫通孔に前記ボルトを挿通させた状態で、下方から両接近部の間に向けて前記金具を上昇させることにより両接近部の間隔が広くなり、前記金具が両接近部の上方に通過すると両接近部の間隔が自重で狭くなる一対の揺動部材と、
両揺動部材のそれぞれに設けられ、両接近部が接近した状態で前記金具を両接近部よりも上方から降下させることにより前記金具の被係止部に係止する係止部と
を具備することを特徴とする補助装置。
【請求項２】
請求項１に記載の補助装置において、
前記一対の揺動部材は、無負荷状態で、両揺動部材の間の間隔が、下端から接近部に近づく程に狭くなるように形成されていることを特徴とする補助装置。
【請求項３】
請求項１または２に記載の補助装置において、
前記吊下げ部は、前記横向き凹部の上部がボルト挿通用の狭幅部で、前記横向き凹部の下部が第１ナットの入る広幅部となっていて、その広幅部の横方向の開口幅が前記第１ナットよりも狭く形成されていることを特徴とする補助装置。
【請求項４】
請求項３に記載の補助装置において、
前記吊下げ部は、前記横向き凹部の内部に先端が達するネジを有することを特徴とする補助装置。
【請求項５】
請求項１または２に記載の補助装置において、
前記吊下げ部には、開閉用ヒンジを介して前記凹部を塞ぐ蓋と、この蓋を閉じた状態に保持するストッパとが設けられていることを特徴とする補助装置。
【請求項６】
請求項１乃至５のいずれかに記載の補助装置において、
前記一対の揺動部材の接近部の近傍に、前記金具の貫通孔に下側から係止する上向きの突出片がそれぞれ設けられ、前記一対の揺動部材の少なくとも一方であって前記突出片の近傍に、前記吊下げ部の前記第１ナットによる吊下げ解除後の降下に伴って前記第２ナットを抜けさせ、前記係止部と前記被係止部との係止を解除させるとともに前記金具を前記第２ナットにより下側から支持させる抜け孔が設けられていることを特徴とする補助装置。
【請求項７】
請求項６に記載の補助装置において、
前記突出片が前記係止部として機能しかつ前記貫通孔が前記突出片を係止する被係止部を兼ねることを特徴とする補助装置。
【発明の詳細な説明】
【技術分野】
【０００１】
本発明は、例えば浴室などの天井に、乾燥機の室内機などの吊下げ対象物を吊り下げる際に用いると便利な補助装置に関する。
【背景技術】
【０００２】
上述した乾燥機の室内機を浴室の天井に取付けるには、従来当初、天井の複数箇所に吊り下げたボルトにナットを螺着し、室内機にボルトに対応する数、位置で取付けた固定金具を、前記ナットにより下側から支持する方式が採用されていた。
【０００３】
ところで、上述した吊り下げ方式では、重量のある室内機を天井近くまで持ち上げつつナットを取付ける必要があり、一人での取付けが困難で作業性が悪いという難点がある。
【０００４】
そこで、近年においては、作業性を改善すべく、ナットの代わりに別機構の支持装置を用いて乾燥機の室内機などを天井に取付けることが行われており、その支持装置として、図１２及び図１３に示す構成のものが知られている（例えば、特許文献１参照）。
【０００５】
この支持装置は、天井から垂設したボルト１０４に、室内機１０２に設けたボルト孔１０３を挿通して支持するもので、水平な枢支ピン１１１回りに揺動可能な一対の係止部１０６、１０６が上下２段設けられ、天井から垂設したボルト１０４に前述の係止部１０６が係止する状態と、付勢バネ１１４の付勢力に抗して解除機構１０７を内側に押し込むと各係止部１０６のボルト１０４に対する係止が解除される状態とになる構成となっている。なお、係止部１０６は二分割構造となっていて、係止状態のとき、係止部１０６の先端に形成された雌ネジ面１０６ａがボルト１０４に噛合するようになっている。
【０００６】
よって、付勢バネ１１４の付勢力により解除機構１０７を外側に押し出すと、ボルト１０４に係止部１０６が係止して室内機１０２の落下を防止し、付勢バネ１１４の付勢力に抗して解除機構１０７を内側に押し込むと支持装置を取り外すことができる。これにより、一人でも取付けが可能になる。
【特許文献１】特開平８−１７８４１３号公報
【発明の開示】
【発明が解決しようとする課題】
【０００７】
しかしながら、上述した従来の支持装置による場合には、室内機を支持する間ずっとボルトに取付けておく必要があるため、ナットに比べて大幅にコストが上昇するという難点があった。そこで、このように室内機を取付けた後も取外しができない支持装置に代えて、従来同様にボルトへのナット装着により吊下げ対象物を支持して仮止めすることができ、しかも取外しができる補助装置の出現が期待されていた。
【０００８】
本発明は、このような従来技術の課題を解決するためになされたものであり、ボルトへのナット装着により吊下げ対象物を支持して仮止めすることができ、しかも取外しができる補助装置を提供することを目的とする。
【課題を解決するための手段】
【０００９】
請求項１に係る発明は、吊下げ対象物に、貫通孔及び被係止部を有する取付用金具を予め取付けるとともに、天井から垂下させたボルトに補助装置吊下げ用の第１ナットを螺着しておき、前記金具を支持する状態で前記ボルトに固定用の第２ナットを螺着して前記金具を前記ボルトに仮止めする際に前記第１ナットに吊下げられ、仮止め後に取外される補助装置であって、前記ボルトを挿通させる横向き凹部を有し、前記ボルトと前記第１ナットとの段差部にて下側から支持される吊下げ部と、前記吊下げ部の下部であって前記ボルトを挟む２位置にそれぞれ設けられる一対のもので、前記吊下げ部に上端が、下側を前記ボルトに対して接離させ得る状態で揺動用ヒンジを介して取付けられ、揺動により互いが最接近する状態となる接近部を上下方向の途中位置にそれぞれ有し、前記貫通孔に前記ボルトを挿通させた状態で、下方から両接近部の間に向けて前記金具を上昇させることにより両接近部の間隔が広くなり、前記金具が両接近部の上方に通過すると両接近部の間隔が自重で狭くなる一対の揺動部材と、両揺動部材のそれぞれに設けられ、両接近部が接近した状態で前記金具を両接近部よりも上方から降下させることにより前記金具の被係止部に係止する係止部とを具備することを特徴とする。
【００１０】
請求項２に係る発明は、請求項１に記載の補助装置において、前記一対の揺動部材は、無負荷状態で、両揺動部材の間の間隔が、下端から接近部に近づく程に狭くなるように形成されていることを特徴とする。
【００１１】
請求項３に係る発明は、請求項１または２に記載の補助装置において、前記吊下げ部は、前記横向き凹部の上部がボルト挿通用の狭幅部で、前記横向き凹部の下部が第１ナットの入る広幅部となっていて、その広幅部の横方向の開口幅が前記第１ナットよりも狭く形成されていることを特徴とする。
【００１２】
請求項４に係る発明は、請求項３に記載の補助装置において、前記吊下げ部は、前記横向き凹部の内部に先端が達するネジを有することを特徴とする。
【００１３】
請求項５に係る発明は、請求項１または２に記載の補助装置において、前記吊下げ部には、開閉用ヒンジを介して前記凹部を塞ぐ蓋と、この蓋を閉じた状態に保持するストッパとが設けられていることを特徴とする。
【００１４】
請求項６に係る発明は、請求項１乃至５のいずれかに記載の補助装置において、前記一対の揺動部材の接近部の近傍に、前記金具の貫通孔に下側から係止する上向きの突出片がそれぞれ設けられ、前記一対の揺動部材の少なくとも一方であって前記突出片の近傍に、前記吊下げ部の前記第１ナットによる吊下げ解除後の降下に伴って前記第２ナットを抜けさせ、前記係止部と前記被係止部との係止を解除させるとともに前記金具を前記第２ナットにより下側から支持させる抜け孔が設けられていることを特徴とする。
【００１５】
請求項７に係る発明は、請求項６に記載の補助装置において、前記突出片が前記係止部として機能しかつ前記貫通孔が前記突出片を係止する被係止部を兼ねることを特徴とする。
【発明の効果】
【００１６】
本発明にあっては、天井から垂下させたボルトに吊下げ部の横向き凹部を入れ、ボルトに螺着した第１ナットにより補助装置の吊下げ部を下側から支持させる。この支持により補助装置の全体が第１ナットに吊り下げられる。そして、ボルトに金具の貫通孔を通して金具を上昇させていく。このとき、上昇する金具により両揺動部材がその下端を広げるように揺動し、両接近部の間隔が互いに広げられて、両接近部の間を金具が通過する。そして、金具の貫通孔が揺動部材の接近部よりも上方位置に達すると、金具を降下させる。このとき、両揺動部材は、自重により接近部同士が接近した状態になっている。金具の降下により、金具の被係止部が、両揺動部材に設けた係止部に係止され、これにより金具が補助装置により保持される。この保持状態において、ボルトに下側から固定用の第２ナットを螺着して補助装置を取外すと、第２ナットにより金具がボルトに仮止めされる。
【００１７】
よって、本発明による場合には、ボルトへのナット装着により吊下げ対象物を支持して仮止めすることができ、しかも取外しができる補助装置の提供が可能になる。
【００１８】
請求項２の発明による場合には、無負荷状態で、両揺動部材の間の間隔が、下端から接近部に近づく程に狭くなるように一対の揺動部材が形成されているので、金具を下側から接近部へ向けて上昇させると、自然に両揺動部材がその下端を開くように揺動するので、一対の揺動部材に対して何ら手操作を施すことなく、金具を接近部の上方まで上昇させ得る。
【００１９】
請求項３の発明による場合には、第１ナットよりも上方に吊下げ部を位置させた状態から補助装置を水平移動させて、横向き凹部にボルトを通し、その後補助装置を降下させると、広幅部に第１ナットが入込む。このとき、広幅部の横方向の開口幅が第１ナットよりも狭いので、第１ナットから吊下げ部が外れることがない。
【００２０】
請求項４の発明による場合には、吊下げ部を第１ナットに吊下げ、ネジを締める方向に回すと、そのネジの先端を第１ナットなどの側面に強固に当接させて、吊下げ部をボルトに固定することができる。
【００２１】
請求項５の発明による場合には、吊下げ部を第１ナットに吊下げ、蓋を閉じてストッパを掛けると、吊下げ部を固定することができる。
【００２２】
請求項６の発明による場合には、吊下げ部の第１ナットによる吊下げを解除した後に吊下げ部を降下させることに伴って、抜け孔から第２ナットを抜けさせ得る。これに伴って、係止部と被係止部との係止を解除させ得るとともに金具を第２ナットにより下側から支持させ得、補助装置の取外しを簡単に行うことができる。
【００２３】
請求項７による場合には、両接近部の間を下側から通って上側に出た金具を、降下させることで、係止部として機能する上向きの突出片が、被係止部を兼ねる貫通孔に係止する。よって、被係止部を別途設ける必要がない。
【発明を実施するための最良の形態】
【００２４】
以下に、本発明を具体的に説明する。
【００２５】
図１は本発明の一実施形態に係る補助装置を示す正面図、図２は左斜め上方から見た斜視図、図３は図２とは反対側の上方から見た斜視図、図４は吊下げ部を示す部分断面図、図５は補助装置を用いて吊下げ対象物である乾燥機の室内機を浴室の天井に取付けるときの説明図である。
【００２６】
図５に示すように、室内機３０の四隅には、貫通孔３２を有する取付用金具３１が予め取付けられているとともに、浴室の天井３５の四箇所にはボルト３６が垂下状態で取付けられている。また、室内機３０を天井３５に取付けるより前に、前記ボルト３６には補助装置吊下げ用の第１ナット３７が螺着される。更に、室内機３０は、ボルト３６に金具３１の貫通孔３２を通し、その金具３１の下側に固定用の第２ナット３８を螺着することで、仮止めされる。
【００２７】
一方、図１等に示される本実施形態の補助装置１は、第２ナット３８により金具３１をボルト３６に仮止めする際に、第１ナット３７に吊下げられ、仮止め後に取外されるものである。第１ナット３７及び第２ナット３８としては、本実施形態では一般的な六角ナットを用いるものとして説明するが、四角や八角ナットなどを使用してもよい。
【００２８】
この補助装置１の構成は、以下の通りである。即ち、補助装置１は、上部に設けられた吊下げ部２と、吊下げ部２の下側に設けられた一対の揺動部材１０、２０とを備える。
【００２９】
吊下げ部２は、例えば金属製の概略矩形状をした吊下げ部本体３と、固定用のネジ４とを有する。ネジ４としては、図示例では蝶ネジを使用している。吊下げ部本体３は、一側面３ａと、この一側面３ａに繋がる上面３ｂおよび下面３ｃとに開口５ａ、５ｂ、５ｃを有する横向き凹部５を有し、この横向き凹部５は前記ボルト３６を挿通させるために形成されていて、一側面３ａの開口５ａはボルト３６の直径よりも少し大きく、第１ナット３７の二面幅よりも狭い幅寸法で上下方向に形成されている。上面３ｂの開口５ｂは開口５ａの幅寸法と同じ幅で内奥部が半円状となったＵ字状に形成されている。下面３ｃの開口５ｃは、一側面３ａ側を開口５ａと同じ幅寸法とし、内奥部が開口５ａの幅寸法よりも広い概略Ｃ字状に形成されており、開口５ｃの内奥部は開口５ａの幅寸法の半分よりも十分に大きい曲率半径であって第１ナット３７が入る大きさに設定されている。この概略Ｃ字状の開口５ｃは下面３ｃから半分以上上側の部位までの範囲に設けられており、横向き凹部５の内奥部は、上側にボルト３６を挿通させ得る寸法の狭幅部が形成され、下側に第１ナット３７が入り得る広幅部が形成され、これら狭幅部と広幅部との境界に段付き部５ｄが設けられている。また、横向き凹部５の内奥部には、ネジ４の先端４ａが突出するようになっている（図２、図４参照）。なお、一側面３ａの開口５ａに関しては、図示例では上から下まで同じ開口幅（ボルト３６の直径よりも少し大きく、第１ナット３７の二面幅よりも狭い幅寸法）としているが、段付き部５ｄよりも下側の箇所にあっては、第１ナット３７が抜け落ちないように、第１ナット３７の二面幅よりも小さくなっていてもよい。つまり、一側面３ａの開口５ａは、段付き部５ｄよりも上側と下側とで開口幅が異なっていてもよい。
【００３０】
よって、垂下状態のボルト３６に対して一側面３ａの開口５ａを一致させ、かつ下面３ｃを第１ナット３７よりも高くして、横向き凹部５にボルト３６を挿入させ、その後に補助装置１を少し降下させると、段付き部５ｄが第１ナット３７で支持されることになり、吊下げ部２が第１ナット３７に吊り下げられる。そして、ネジ４を締めると、ネジ４の先端４ａが、例えば第１ナット３７の側面に当接し、吊下げ部２がボルト３６に固定される。
【００３１】
各揺動部材１０、２０は、ボルト３６を挟む２位置にそれぞれ設けられた一対のものであり、上部に揺動用のヒンジ１１、２１が設けられ、ヒンジ１１、２１の下側にはＶ字状に折れ曲がった揺動下部１２、２２が設けられている。
【００３２】
ヒンジ１１、２１は、揺動軸部１１ａ、２１ａを水平にしかつ吊下げ部２の下端に配した状態で、上側の取付面１１ｂ、２１ｂを吊下げ部本体３の一側面３ａと１つ隣の側面３ｄ、３ｅに取付けられており、下側の取付面１１ｃ、２１ｃには揺動下部１２、２２が取付けられている。
【００３３】
揺動下部１２、２２は、下端に折り曲げ部１２ａ、２２ａを有し、外側の板状片１２ｂ、２２ｂの上端部が前記取付面１１ｃ、２１ｃに取付けられており、内側の板状片１２ｃ、２２ｃは非固定状態となっている。よって、揺動下部１２、２２はヒンジ１１、２１における揺動軸部１１ａ、２１ａの回りを白抜矢符方向に揺動可能となっており、揺動軸部１１ａ、２１ａの下側の実質的に揺動する部分の上端が、吊下げ部２に取付けられた構成となっている。なお、外側の板状片１２ｂ、２２ｂと、内側の板状片１２ｃ、２２ｃとは、連結片１２ｇ、２２ｇで連結されている。
【００３４】
内側の板状片１２ｃ、２２ｃは、無負荷状態において、上端が互いに最接近する接近部１２ｄ、２２ｄとなっていて、内側の両板状片１２ｃ、２２ｃの間の間隔は、下端の折り曲げ部１２ａ、２２ａから接近部１２ｄ、２２ｄに近づく程に狭くなるように形成されている。また、接近部１２ｄ、２２ｄには、上向きに突出した係止部１２ｅ、２２ｅが設けられている。この係止部１２ｅ、２２ｅは、前記取付用金具３１の貫通孔３２を被係止部として係止するものである。各係止部１２ｅ、２２ｅのそれぞれは、開口部１２ｆ、２２ｆを挟んで２つに分離した状態で設けられている。開口部１２ｆは内側の板状片１２ｃと連結片１２ｇとにそれぞれ形成され、開口部２２ｆは内側の板状片２２ｃと連結片２２ｇとにそれぞれ形成されている。これら開口部１２ｆ、２２ｆは、後述するように吊下げ部２の第１ナット３７による吊下げを解除した後に吊下げ部２を降下させることに伴って、第２ナット３８を抜けさせ得る抜け孔として機能するものである。
【００３５】
次に、このように構成された補助装置１を用いて、図５に示すように天井３５から垂下させたボルト３６に、室内機３０に取付けた取付用金具３１を支持するように第２ナット３８を螺着して、金具３１をボルト３６に仮止めする工程を、図６〜図８に基づき説明する。なお、図６と図８は、方向を９０゜ずらして表した図である。
【００３６】
図６（ａ）に示すように、天井３５から垂下させたボルト３６に第１ナット３７を螺着する。次に、図６（ｂ）に示すように、補助装置１を手に持って第１ナット３７に吊り下げる。つまり、ボルト３６に対して一側面（３ａ）の開口（５ａ）を一致させ、かつ下面３ｃを第１ナット３７よりも高くして、補助装置１を水平移動させて横向き凹部（５）にボルト３６を挿入させる。その後、図６（ｃ）に示すように、補助装置１を少し降下させると、段付き部（５ｄ）が第１ナット３７で支持される。このとき、前述したように一側面（３ａ）の開口（５ａ）の開口幅が第１ナット３７の二面幅よりも狭く形成されているので、第１ナット３７から吊下げ部２が外れることがない。これにより補助装置１から手を離すことが可能になる。その後、図６（ｄ）に示すように、揺動下部１２、２２の一方または両方を広げ、前記抜け孔（開口部）１２ｆ、２２ｆにボルト３６を入れるとともに固定用のネジ４を締める。
【００３７】
以上の補助装置１のボルト３６への取付けを、４本のボルト３６のそれぞれに対して行う。
【００３８】
次に、図６（ｅ）に示すように、室内機３０を手で持ち上げて、取付用金具３１の貫通孔３２にボルト３６の下端を通し、金具３１を徐々に上昇させる。このとき、内側の両板状片１２ｃ、２２ｃの間の間隔が、下端の折り曲げ部１２ａ、２２ａから接近部１２ｄ、２２ｄに近づく程に狭くなるように形成されているので、図６（ｆ）に示すように、金具３１の上昇に伴って接近部１２ｄと接近部２２ｄとの間隔が広くなっていき、図６（ｇ）に示すように、両接近部１２ｄ、２２ｄの間を金具３１が下側から上側へと通過する。このとき、ネジ４により補助装置１が第１ナット３７に固定されているので、金具３１を上昇させる際に補助装置１が第１ナット３７から外れることがない。
【００３９】
そして、金具３１の貫通孔３２が接近部１２ｄ、２２ｄよりも上方位置に達すると、図６（ｈ）に示すように、金具３１を降下させる。このとき、両揺動部材１０、２０は、自重により接近部１２ｄ、２２ｄ同士が接近した状態になっているので、金具３１の降下により、金具３１の被係止部としての貫通孔３２が、係止部１２ｅ、２２ｅに係止される。図７は貫通孔３２が係止部１２ｅ、２２ｅに係止された状態を示す斜視図である。これにより金具３１が補助装置１により保持される。この保持操作は、４個の金具３１の全てを同時に各補助装置１に対して保持させるように行ってもよく、或いは１つずつ、或いは２または３つを同時に行ってもよい。
【００４０】
この保持状態において、図６（ｉ）に示すように、各ボルト３６にそれぞれ下側から固定用の第２ナット３８を螺着する。よって、貫通孔３２は、係止部１２ｅ、２２ｅに係止される被係止部を兼ねるため、被係止部を別途設ける必要性を無くすることができる。
【００４１】
その後、補助装置１における固定用のネジ４を弛めた後、図８（ａ）に示すように室内機３０と一緒に補助装置１を持ち上げ、続いて、図８（ｂ）に示すように補助装置１を傾けて横向き凹部（５）を介してボルト３６から補助装置１を取外し、図８（ｃ）に示すように補助装置１を降下させる。この降下に際し、抜き孔（開口部）１２ｆ、２２ｆから第２ナット３８を下側へ挿通させる。すると、貫通孔３２から係止部１２ｅ、２２ｅが抜け出して、図８（ｄ）に示すように第２ナット３８により金具３１がボルト３６に仮止めされる。この操作は、各補助装置１毎に別々に行うのが好ましいが、同時に行ってもよい。
【００４２】
よって、本実施形態の補助装置１による場合には、ボルト３６への第２ナット３８の装着により室内機３０を支持して仮止めすることができ、しかも仮止めに際してボルト３６からの取外しができる。
【００４３】
また、本実施形態では、無負荷状態で、両揺動部材１０、２０における内側の両板状片１２ｃ、２２ｃの間の間隔が、下端の折り曲げ部１２ａ、２２ａから接近部１２ｄ、２２ｄに近づく程に狭くなるように形成されているので、金具３１を下側から接近部１２ｄ、２２ｄへ向けて上昇させると、自然に両揺動部材１０、２０がその下端を開くように揺動するので、一対の揺動部材１０、２０に対して何ら手で操作をすることなく、金具３１を接近部１２ｄ、２２ｄの上方まで上昇させ得る。
【００４４】
なお、上述した実施形態では吊下げ部２として、開口５ｃから第１ナット３７を入れ、段付き部５ｄが第１ナット３７で下側から支持されるとともに、ネジ４により第１ナット３７に固定される構成としているが、本発明はこれに限らず、他の構成としてもよい。
【００４５】
図９は本発明の他の実施形態に係る補助装置を示す正面図であり、図１０は図９の補助装置の吊下げ部を示す斜視図、図１１は図９の補助装置のストッパの説明図である。この補助装置１Ａはボルト３６に螺着した第１ナット３７の上に支持される吊下げ部２Ａを有する。この吊下げ部２Ａは、吊下げ部材２ｂに対して開閉する蓋２ｃを有し、これら吊下げ部材２ｂと蓋２ｃとにおける開閉用ヒンジ２ｄで支持された側とは反対側の端面２ｅ、２ｆに、バックル２ｇと係止片２ｈとからなるストッパ２ｉを取付ける。例えば、端面２ｅに係止片２ｈを、端面２ｆにバックル２ｇをそれぞれ取付ける。そして、バックル２ｇを係止片２ｈに引っ掛けて止めたり、或いは解除したりしてもよい。
【図面の簡単な説明】
【００４６】
【図１】本発明の一実施形態に係る補助装置を示す正面図である。
【図２】図１の補助装置を左斜め上方から見た斜視図である。
【図３】図２とは反対側の上方から見た斜視図である。
【図４】吊下げ部を示す部分断面図である。
【図５】補助装置を用いて吊下げ対象物である乾燥機の室内機を浴室の天井に取付けるときの説明図である。
【図６】補助装置を用いて浴室の天井から垂下させたボルトに固定用ナットを取付けるまでの工程図である。
【図７】補助装置の係止部を室内機に取付けた金具の貫通孔に係止した状態を示す斜視図である。
【図８】浴室の天井から垂下させたボルトに固定用ナットを取付けた後に補助装置を外す際の工程図である。
【図９】本発明の別の実施形態に係る補助装置を示す正面図である。
【図１０】図９の補助装置の吊下げ部を示す斜視図である。
【図１１】図９の補助装置のストッパの説明図である。
【図１２】特許文献１の補助装置（係止状態）を示す正面断面図である。
【図１３】特許文献１の補助装置（解除状態）を示す正面断面図である。
【符号の説明】
【００４７】
１    補助装置
２    吊下げ部
３    吊下げ部本体
４    固定用のネジ
４ａ    先端
５    横向き凹部
５ｄ    段付き部
１０、２０    揺動部材
１１、２１    揺動用のヒンジ
１２ｄ、２２ｄ    接近部
１２ｅ、２２ｅ    係止部
１２ｆ、２２ｆ    開口部（抜け孔）
２Ａ    吊下げ部
２ｂ    吊下げ部材
２ｃ    蓋
２ｄ    開閉用ヒンジ
２ｉ    ストッパ
３０    室内機（吊下げ対象物）
３１    取付用金具
３２    貫通孔（被係止部）
３５    浴室の天井
３６    ボルト
３７    補助装置吊下げ用の第１ナット
３８    固定用の第２ナット
【図１】
2009281576.tif 000003
【図２】
2009281576.tif 000004
【図３】
2009281576.tif 000005
【図４】
2009281576.tif 000006
【図５】
2009281576.tif 000007
【図６】
2009281576.tif 000008
【図７】
2009281576.tif 000009
【図８】
2009281576.tif 000010
【図９】
2009281576.tif 000011
【図１０】
2009281576.tif 000012
【図１１】
2009281576.tif 000013
【図１２】
2009281576.tif 000014
【図１３】
2009281576.tif 000015